(57)【要約】      （修正有）【課題】ガスコンロのサイズに較べて大きな調理器具を用いて調理する場合であっても、既存のガスコンロ上に載置して、調理器具がガスコンロ上において転覆し難い五徳１を提供することを課題とする。【解決手段】放射状に配置された複数の支持材４に環状体3a,3bを接合し、支持材４をガスコンロ上に載置可能とする。また、支持材４の放射方向に直交する断面形状を山形に形成して、ガスコンロ上に安定して載置できるようにする。さらに、補強材２が支持材４の接合側とは反対側に接合され、補強材２が異なる大きさの調理器具に適合可能とされた五徳１。【選択図】図１
0003110132.tif 000002
【実用新案登録請求の範囲】
【請求項１】
放射状に配置された複数の支持材に環状体を接合し、前記支持材をガスコンロ上に載置可能としたことを特徴とする五徳。
【請求項２】
前記支持材の放射方向に直交する断面形状が山形を形成していることを特徴とする請求項１記載の五徳。
【請求項３】
前記環状体が複数本からなることを特徴とする請求項１または２記載の五徳。
【請求項４】
前記環状体に複数の補強材を放射状に接合したことを特徴とする請求項１〜３のいずれか１項に記載の五徳。
【請求項５】
前記補強材が前記支持材の接合側とは反対側に接合され、前記補強材が異なる大きさの調理器具に適合可能とされたことを特徴とする請求項４記載の五徳。
【請求項６】
前記支持材の外縁にストッパーを設けたことを特徴とする請求項１〜５のいずれか１項に記載の五徳。
【考案の詳細な説明】
【技術分野】
【０００１】
本考案は、ガスコンロに用いる五徳に関するものであり、特に既存のガスコンロの五徳の上に重ね置きし、既存のガスコンロの五徳のサイズと大きさが異なる調理器具を安定して保持できる五徳に関する。
【背景技術】
【０００２】
ガスコンロは調理用加熱器具として広く普及している。特にマンション等の集合住宅においては、図５に示すような調理台等にビルトインされた複数のガスバーナーから構成される厨房設備が設けられている場合が多い。また、戸建住宅においても複数のガスバーナーから構成されるシステムキッチンが普及している。これらの厨房機器に備えられたガスコンロ50の場合、異なるサイズの調理器具に対応すべくガスバーナー51のサイズも２種類程度は備えられている。しかしながら、調理器具は鍋やフライパン等、多種多様であり、２種類程度のガスバーナー51のサイズでは対応しきれないのが現実である。ここで、ガスバーナー51のサイズに較べて調理器具のサイズが小さ過ぎる場合には、調理器具が五徳52と接する部分が少なくなり、調理時の安定性が大きく損なわれる。すなわち、ガスバーナー51に設けられている既存の五徳52は、ガスバーナー51のサイズに対応した大きさを有するため、ガスバーナー51のサイズに較べて調理器具のサイズが小さ過ぎると、既存の五徳52上に調理器具を安定状態に載置することができない。このように調理器具の安定状態が損なわれた状態で調理を行っていると、不意に調理器具に触っただけでも調理器具のバランスが崩れ、調理器具がガスコンロ50上において転覆する危険性がある。また、日本は地震多発国であり、調理中において地震に遭遇する機会も否定できない。いずれにせよガスコンロ50のサイズと異なる大きさの調理器具を用いて調理をする場合には、調理中に調理器具が転覆する危険性は否定できない。
【０００３】
また、すき焼き等の鍋物の料理を提供する場合には、図６に示すようなポータブルタイプの卓上ガスコンロ60を用いることも多いが、上記した問題についての事情は同じである。
【考案の開示】
【考案が解決しようとする課題】
【０００４】
本考案は、上記の事情に鑑みてなされたものであり、ガスコンロのサイズと異なる大きさの調理器具を用いて調理する場合であっても、既存のガスコンロ上に載置して、調理器具がガスコンロ上において転覆し難い五徳を提供することを目的とする。
【課題を解決するための手段】
【０００５】
本考案における請求項１記載の五徳は、放射状に配置された複数の支持材に環状体を接合し、前記支持材をガスコンロ上に載置可能としたことを特徴とするものである。
【０００６】
本考案における請求項２記載の五徳は、請求項１記載の五徳において、前記支持材の放射方向に直交する断面形状が山形を形成していることを特徴とするものである。
【０００７】
本考案における請求項３記載の五徳は、請求項１または２記載の五徳において、前記環状体が複数本からなることを特徴とするものである。
【０００８】
本考案における請求項４記載の五徳は、請求項１〜３のいずれか１項に記載の五徳において、前記環状体に複数の補強材を放射状に接合したことを特徴とするものである。
【０００９】
本考案における請求項５記載の五徳は、請求項４記載の五徳において、前記補強材が前記支持材の接合側とは反対側に接合され、前記補強材が異なる大きさの調理器具に適合可能とされたことを特徴とするものである。
【００１０】
本考案における請求項６記載の五徳は、請求項１〜５のいずれか１項に記載の五徳において、前記支持材の外縁にストッパーを設けたことを特徴とするものである。
【考案の効果】
【００１１】
本考案における請求項１の五徳によれば、既存のガスコンロのサイズと異なる大きさの調理器具を用いて調理する場合であっても、既存のガスコンロ上に調理器具を安定した状態で載置することができる。
【００１２】
本考案における請求項２の五徳によれば、既存のガスコンロの五徳の形状や大きさが種々異なっても、支持材の放射方向に直交する断面形状が山形を形成しているので、多種類の既存のガスコンロに適用できる。
【００１３】
本考案における請求項３の五徳によれば、環状体が複数本からなるので、剛性の高い五徳を実現できる。
【００１４】
本考案における請求項４の五徳によれば、環状体に複数の補強材を放射状に接合したので、耐久性の高い五徳を実現できる。
【００１５】
本考案における請求項５の五徳によれば、補強材が異なる大きさの調理器具に適合可能に構成されていることから、異なる大きさを有する調理器具であっても安定して載置可能な五徳を実現できる。
【００１６】
本考案における請求項６の五徳によれば、支持材の外縁にストッパーを設けたので、五徳に横方向から外力が加わっても五徳がガスコンロから脱落するのを防止することができる。
【考案を実施するための最良の形態】
【００１７】
以下、本考案の実施の形態について図面を用いて説明する。図１は本考案の実施例１を示す図面であり、（ａ）は五徳１の上面を、（ｂ）は五徳１の下面を、（ｃ）は五徳１の側面を示す図面である。（ａ）に示すように上面には、６箇所において補強材２が放射状に配置されている。この補強材２は大小２本の環状体3a,3bに接合され、五徳１全体としての強度と剛性を向上させる機能を果たしている。したがって、補強材２の本数は６本に限定されるものでなく、適宜の本数を採用することができる。
【００１８】
（ｂ）に示すように下面には、４箇所において支持材４が放射状に配置されている。この支持材４は放射方向に直交する断面形状が山形を形成しており、山形の頂部が２本の環状体3a,3bに接合されている。通常、五徳１の製作には鉄鋼材料が用いられ、環状体3a,3bと支持材４、環状体3a,3bと補強材２との接合は、通常のアーク溶接により行なうことができるが、スポット溶接等他の溶接方法を用いて行なうこともできる。なお、本考案における「接合」の語義は、溶接等に代表されるように当初別々の部材を繋ぎ合わせて結合する狭義の意味に限定されるものではなく、一体化されるものであればすべて含まれる。すなわち、広義の意味で定義されるものである。したがって、本考案における「接合」の語義には、五徳１を構成する支持材４や環状体3a,3b等を鋳造により一体化して製作する場合も含まれる。
【００１９】
また、各支持材４の外縁には、五徳１を既存のガスコンロ50の五徳52上に重ね置きしただけでも、五徳１の横方向の移動を制限し、五徳１の脱落を防止するためのストッパー５が設けられている。
【００２０】
完成後の五徳１は（ｃ）にその側面を示すように、既存のガスコンロ50の五徳52上に載置される部位である支持材４が９０度間隔で配置され、上に凸となる山形をなしている。本考案による五徳１においては、既存のガスコンロ50のサイズと異なる大きさの調理器具を用いて調理する場合であっても、既存のガスコンロ50上に調理器具を安定した状態で載置することができる。すなわち、本考案の五徳１は既存のガスコンロ50に設けられた既存の五徳52より全体として大きな直径寸法を有するように製作されており、断面形状が山形をした支持材４が放射状に設けられていることから、支持材４の一部でも既存の五徳52に載置できれば安定状態が得られる。
【００２１】
図２は、図１（ｃ）におけるＡ−Ａ矢視断面図である。本考案による五徳１の支持材４の断面形状は山形をしているので、既存の五徳52が丸棒からなる場合においても、五徳１を安定状態に載置することができる。図３も図２と同様、図１（ｃ）におけるＡ−Ａ矢視断面図であるが、既存の五徳52が矩形材からなる場合を示している。本考案による五徳１の支持材４の断面形状は山形をしているので、既存の五徳52が矩形材からなる場合においても、五徳１を安定状態に載置することができる。すなわち、本考案による五徳１の支持材４の断面形状は上に凸となる山形をしているので、既存のガスコンロ50の五徳52の形状や幅寸法の如何を問わず、五徳１を安定状態に載置することができる。
【００２２】
図４は本考案の実施例２を示す図面であり、基本形態は実施例１と同じである。そこで、実施例１と共通する部分の説明は省略し、実施例１と異なる部分について説明する。（ａ）は五徳１の上面を、（ｂ）は五徳１の下面を、（ｃ）は五徳１の側面を示す図面である。（ａ）に示すように上面には、４箇所において補強材２が放射状に配置されている。この補強材２は２本の環状体3a,3bに接合され、五徳１全体としての強度と剛性を向上させる機能を果たすとともに、各種の大きさを有する鍋等の調理器具をより一層安全に載置できるように工夫されている。すなわち、（ｃ）の側面図に示すように補強材２の上面には、３つの段部2a,2b,2cが設けられており、各種サイズの鍋底にフィットするよう段部2a,2b,2cが形成されている。本実施例における五徳１も実施例１と同様、溶接によって製作することもできるし、鋳造によって製作することも可能である。
【００２３】
以上、本考案を実施例に基づいて説明したが、本考案は上記実施例に限定されるものではなく、各種の変形実施をすることができる。たとえば、上記実施例では既存のガスコンロ50が４本の支持部材からなる五徳52を有するものに適合する場合について説明をしたが、既存のガスコンロ50が４本の支持部材からなる五徳52を有するものに限定されるものではない。既存のガスコンロ50が５本、６本等、他の本数からなる支持部材を有する五徳52であっても適用できる。また、上記実施例では環状体3a,3bとして大小２本の棒材からなるものを挙げて説明したが、環状体は１本の棒材で構成することもできるし、棒材ではなく板材で構成することもできる。
【図面の簡単な説明】
【００２４】
【図１】本考案に係る五徳の実施例１を示す図面であり、（ａ）は上面を、（ｂ）は下面を、（ｃ）は側面を示す図面である。
【図２】図１（ｃ）におけるＡ−Ａ矢視図である。
【図３】同上。既存のガスコンロが異なる場合を示す矢視図である。
【図４】本考案に係る五徳の実施例２を示す図面であり、（ａ）は上面を、（ｂ）は下面を、（ｃ）は側面を示す図面である。
【図５】調理台組込型ガスコンロの一例を示す斜視図である。
【図６】卓上型ガスコンロの一例を示す斜視図である。
【符号の説明】
【００２５】
１  五徳
２  補強材
3a,3b  環状体
４  支持材
５  ストッパー
【図１】
0003110132.tif 000003
【図２】
0003110132.tif 000004
【図３】
0003110132.tif 000005
【図４】
0003110132.tif 000006
【図５】
0003110132.tif 000007
【図６】
0003110132.tif 000008